(57)【要約】【課題】使用する半導体発光素子の種類が一種類でありながら相関色温度を可変できる照明装置を提供する。【解決手段】照明装置１は発光モジュール２と点灯装置11を具備する。モジュール２は、互いに異なる色温度の光を発する少なくとも二系統の発光部4,5を備える。発光部4,5を、モジュール基板３に複数実装された同一発光色のＬＥＤ（半導体発光素子）6a〜6lの内の一部と、の一部のＬＥＤを埋めてモジュール基板３に被着されるとともに埋設されたＬＥＤの発光色の一部を吸収して発光色と異なる色の光を発光する蛍光物質が分散された蛍光体層9,10とで形成する。点灯装置11は、モジュール２の光の相関色温度を変える色温度制御部17を有する。この制御部によって、前記系統毎に矩形波の繰り返しパルスを印加して発光部4,5を発光させる。これとともに色温度制御部17によって、前記系統毎に印加される繰り返しパルス同士のパルス幅の比を変えることで相関色温度を変更する。【選択図】      図１
2008218504.tif 000002
【特許請求の範囲】
【請求項１】
モジュール基板に複数実装された同一発光色の半導体発光素子の内の一部、及びこの一部の発光素子を埋めて前記モジュール基板に被着されるとともに埋設された前記発光素子の発光色の一部を吸収して前記発光色と異なる色の光を発する蛍光物質が分散された蛍光体層により形成される発光部を少なくとも二系統備え、これら各系統の発光部が互いに異なる色温度の光を発する発光モジュールと；
前記系統毎に矩形波の繰り返しパルスを印加して前記発光部を発光させるとともに、前記系統毎に印加される前記繰り返しパルス同士のパルス幅の比を変えて前記発光モジュールの光の相関色温度を変える色温度制御部を有した点灯装置と：
を具備することを特徴とする照明装置。
【請求項２】
前記色温度制御部によって、一日の内で予め定めた複数の時間帯毎に、それらの時間帯に応じて予め設定した相関色温度で照明できるように前記パルス幅比を自動的に変更して、前記発光モジュールの相関色温度を変えることを特徴とする請求項１に記載の照明装置。
【請求項３】
前記点灯装置が、予め設定した使用期間が経過する毎に、この期間経過時点までの前記少なくとも二系統の発光部の点灯時間差に基づいた前記各系統の発光部の輝度劣化度合いの差がなくなるように、予め設定して置いた色温度補正データにしたがって前記系統毎に印加する前記繰り返しパルス同士のパルス幅の比を補正する色温度補完部を備えていることを特徴とする請求項１に記載の照明装置。
【請求項４】
前記色温度補完部が、予め設定した使用期間が経過する毎に、この期間経過時点で前記各系統の内で少なくとも点灯時間が短い系統に印加される前記繰り返しパルスのパルス幅を短くすることで、前記系統毎に印加する前記繰り返しパルス同士のパルス幅の比を補正することを特徴とする請求項３に記載の照明装置。
【請求項５】
前記点灯装置が、予め設定した使用期間が経過する毎に、前記各系統の内で少なくとも点灯時間が短い系統の発光部の輝度を、前記使用期間経過時点に達する以前と比較して前記使用期間経過後は高くする光強度補正部を備えていることを特徴とする請求項４に記載の照明装置。
【発明の詳細な説明】
【技術分野】
【０００１】
本発明は、ＬＥＤ（発光ダイオード）等の半導体発光素子を複数有した発光モジュールが発する光の相関色温度を変化させることができる照明装置に関する。
【背景技術】
【０００２】
従来、単色に発光する１以上の単色ＬＥＤと、白色に発光する１以上の白色ＬＥＤとを独立に制御できるように配線し、各ＬＥＤに印加する矩形波パルスのデューテー比を、単色ＬＥＤの発光を制御する第１の電源と白色ＬＥＤの発光を制御する第２の電源とにより別々に制御することで、単色ＬＥＤと白色ＬＥＤの光出力の比を制御して相関色温度を変化させる技術が知られている（例えば、特許文献１参照。）。
【特許文献１】特開２００５−１００７９９号公報
【発明の開示】
【発明が解決しようとする課題】
【０００３】
特許文献１の可変色発光ダイオード照明器具では、発光素子にそれ自体が単色に発光する単色ＬＥＤ、及び白色に発光する白色ＬＥＤを使用している。一般的なＬＥＤ照明器具では所定の照明をするのに数多くの発光素子を用いる必要がある。こうした条件下で特許文献１の照明器具は、互いに異なる光を発する二種類のＬＥＤを用いるので、ＬＥＤの在庫管理が面倒となる等の点で不利である。
【０００４】
又、特許文献１の可変色発光ダイオード照明器具では、単色ＬＥＤと白色ＬＥＤの夫々に矩形波パルスのデューテー比して印加することで相関色温度を変えているので、この色温度変更によって、同一使用期間において単色ＬＥＤと白色ＬＥＤの点灯時間に差がつくことは避けられない。ところで、ＬＥＤの発光強度(輝度)は累積の点灯時間が長くなるほど低下(輝度劣化)することが知られている。したがって、前記単色ＬＥＤと白色ＬＥＤの前記点灯時間差によって、所定の使用期間後には、前記デューテー比制御で選択した相関色温度を維持できなくなる。
【０００５】
本発明の目的は、使用する半導体発光素子の種類が一種類でありながら相関色温度を可変できる照明装置を提供することにある。又、本発明の他の目的は、使用する半導体発光素子の種類が一種類でありながら相関色温度を可変できることに加えて、選択した相関色温度を長期の使用期間にわたって維持できる照明装置を提供することにある。
【課題を解決するための手段】
【０００６】
請求項１の発明の照明装置は、モジュール基板に複数実装された同一発光色の半導体発光素子の内の一部、及びこの一部の発光素子を埋めて前記モジュール基板に被着されるとともに埋設された前記発光素子の発光色の一部を吸収して前記発光色と異なる色の光を発する蛍光物質が分散された蛍光体層により形成される発光部を少なくとも二系統備え、これら各系統の発光部が互いに異なる色温度の光を発する発光モジュールと；前記系統毎に矩形波の繰り返しパルスを印加して前記発光部を発光させるとともに、前記系統毎に印加される前記繰り返しパルス同士のパルス幅の比を変えて前記発光モジュールの光の相関色温度を変える色温度制御部を有した点灯装置と：を具備している。
【０００７】
この発明では、発光モジュールの互いに異なる色温度の光を発する少なくとも二系統の発光部毎に印加される繰り返しパルス同士のパルス幅の比を、点灯装置の色温度制御部で変えることによって、少なくとも二系統の発光部が発する光が混ざる割合を変えることができる。それにより、発光モジュールの光の相関色温度を変えて照明できる。そして、少なくとも二系統の発光部が有した半導体発光素子の発光色は同一であって、少なくとも二系統の発光部は、それらに用いられた互いに異なる蛍光体層での波長変換により、互いに異なる色温度の光を発する。そのため、この発明の照明装置では、発光モジュールの光の相関色温度を変えるのに互いに異なる光を発する複数種類のＬＥＤ等の半導体発光素子を用いることなく、発光モジュールに使用する半導体発光素子の種類を一種類とすることができる。
【０００８】
請求項２の発明の照明装置では、前記色温度制御部によって、一日の内で予め定めた複数の時間帯毎に、それらの時間帯に応じて予め設定した相関色温度で照明できるように前記パルス幅比を自動的に変更して、前記発光モジュールの相関色温度を変えることを特徴としている。
【０００９】
この発明では、請求項１の発明の作用効果に加えて、一日の内で予め定めた時間帯毎に発光モジュールの相関色温度が自動的に変わるので、予め定めた時間帯毎に予め設定した相関色温度で照明することができる。
【００１０】
請求項３の発明の照明装置では、前記点灯装置が、予め設定した使用期間が経過する毎に、この期間経過時点までの前記少なくとも二系統の発光部の点灯時間差に基づいた前記各系統の発光部の輝度劣化度合いの差がなくなるように、予め設定して置いた色温度補正データにしたがって前記系統毎に印加する前記繰り返しパルス同士のパルス幅の比を補正する色温度補完部を備えていることを特徴としている。
【００１１】
この発明では、請求項１の発明の作用効果に加えて、色温度補完部によって、予め設定した使用期間が経過する毎に、予め設定して置いた色温度補正データにしたがって系統毎に印加する前記繰り返しパルス同士のパルス幅の比を補正して、前記使用期間経過時点までの少なくとも二系統の発光部の点灯時間差に基づいた各系統の発光部の輝度劣化度合いの差がなくなるようにしているので、選択した相関色温度を長期の使用期間にわたって維持できる。
【００１２】
請求項４の発明の照明装置では、前記色温度補完部が、予め設定した使用期間が経過する毎に、その期間経過時点で前記各系統の内で少なくとも点灯時間が短い系統に印加される前記繰り返しパルスのパルス幅を短くすることで、前記系統毎に印加する前記繰り返しパルス同士のパルス幅の比を補正することを特徴としている。
【００１３】
この発明では、請求項１の発明の作用効果に加えて、輝度劣化が低い方の系統に印加する繰り返しパルスのパルス幅を短くすることで、少なくとも二系統の発光部の輝度劣化度合いの差がなくなるように補正するので、選択した相関色温度を長期の使用期間にわたって維持できる。
【００１４】
請求項５の発明の照明装置では、前記点灯装置が、予め設定した使用期間が経過する毎に、前記各系統の内で少なくとも点灯時間が短い系統の発光部の輝度を、前記使用期間経過時点に達する以前と比較して前記使用期間経過後は高くする光強度補正部を備えていることを特徴としている。
【００１５】
この発明では、輝度劣化が低い方の系統に印加する繰り返しパルスのパルス幅を短くすることに伴い、この系統の発光部の輝度が低下するにも拘らず、それを光強度補正部によって補正して輝度を向上するので、相関色温度の維持に伴う輝度の低下を抑制できる。
【発明の効果】
【００１６】
請求項１の発明の照明装置によれば、使用する半導体発光素子の種類が一種類でありながら相関色温度を可変できる。
【００１７】
請求項２の発明の照明装置によれば、使用する半導体発光素子の種類が一種類でありながら相関色温度を可変できるとともに、この可変機能を用いて、一日の内で予め定めた時間帯毎に発光モジュールの相関色温度を自動的に変えて予め設定した相関色温度で照明できる。
【００１８】
請求項３，４の発明の照明装置によれば、使用する半導体発光素子の種類が一種類でありながら相関色温度を可変できることに加えて、選択した相関色温度を長期の使用期間にわたって維持できる。
【００１９】
請求項５の発明の照明装置によれば、予め設定した使用期間が経過する毎に相関色温度を維持させることに伴い発光部の輝度が低下することを抑制できる。
【発明を実施するための最良の形態】
【００２０】
図１及び図２を参照して本発明の一実施形態を説明する。
【００２１】
図１中符号１は一般照明の分野に用いられる照明装置、特に家庭照明用の照明装置を示している。この照明装置１は、照明の雰囲気を変更できるように相関色温度化を可変できるものであって、発光モジュール２と、点灯装置１１とを具備している。
【００２２】
図１及び図２に示すように発光モジュール２は、互いに異なる色温度の光を発する複数の発光系統、例えば第１の発光系統と第２の発光系統を、四角形状に作られたモジュール基板３の例えば一面に設けて形成されている。第１の発光系統は少なくとも一個例えば３個の第１の発光部４からなる。第２の発光系統も少なくとも一個例えば３個の第２の発光部５からなる。第１の発光部４と第２の発光部５は、いずれも平面視短冊状であって、例えば交互に配置されている。
【００２３】
第１の発光部４の色温度は２８００Ｋ〜３０００Ｋの中から選択でき、第２の発光部５の色温度は６０００Ｋ〜８０００Ｋの中から選択できる。具体的には、第１の発光部４には色温度（Ｔｃ）が低い光例えば２８００Ｋで偏差（ｄｕｖ）が±0.004の光を発するものが採用され、第２の発光部５には色温度（Ｔｃ）が高い光例えば８０００Ｋで偏差（ｄｕｖ）が±0.004の光を発するものが採用されている。
【００２４】
これら第１の発光部４と第２の発光部５の構成は次の通りである。
【００２５】
モジュール基板３にはその全域にわたり複数の半導体発光素子が縦横に整列して実装されている。これらの半導体発光素子には例えば青色発光をするチップ状のＬＥＤ６ａ〜６ｌを好適に用いることができる。
【００２６】
第１の発光系統に属した複数のＬＥＤ６ａ及びこれに隣接した複数のＬＥＤ６ｂは、モジュール基板３に設けられている図示しない回路パターンにより直列に接続されている。この直列回路はモジュール基板３の一辺に設けられた電極７ａ，７ｂに接続されている。同様に、第１の発光系統に属した複数のＬＥＤ６ｃ及びこれに隣接した複数のＬＥＤ６ｄは、モジュール基板３に設けられている図示しない回路パターンにより直列に接続されている。この直列回路はモジュール基板３の一辺に設けられた他の電極７ｃ，７ｄに接続されている。同じく、第１の発光系統に属した複数のＬＥＤ６ｅ及びこれに隣接した複数のＬＥＤ６ｆは、モジュール基板３に設けられている図示しない回路パターンにより直列に接続されている。この直列回路はモジュール基板３の一辺に設けられた更に他の電極７ａ，７ｆに接続されている。
【００２７】
第２の発光系統に属した複数のＬＥＤ６ｇ及びこれに隣接した複数のＬＥＤ６ｈは、モジュール基板３に設けられている図示しない回路パターンにより直列に接続されている。この直列回路はモジュール基板３の一辺に設けられた電極８ａ，８ｂに接続されている。同様に、第２の発光系統に属した複数のＬＥＤ６ｉ及びこれに隣接した複数のＬＥＤ６ｊは、モジュール基板３に設けられている図示しない回路パターンにより直列に接続されている。この直列回路はモジュール基板３の一辺に設けられた他の電極８ｃ，８ｄに接続されている。同じく、第２の発光系統に属した複数のＬＥＤ６ｋ及びこれに隣接した複数のＬＥＤ６ｌは、モジュール基板３に設けられている図示しない回路パターンにより直列に接続されている。この直列回路はモジュール基板３の一辺に設けられた更に他の電極８ｅ，８ｆに接続されている。
【００２８】
第１の発光部４は、直列接続されたＬＥＤ６ａ，６ｂと、これらを埋めてモジュール基板３に被着された蛍光体層９とからなる。他の一つの第１の発光部４は、直列接続されたＬＥＤ６ｃ，６ｄと、これらを埋めてモジュール基板３に被着された蛍光体層９とからなる。更に、他の一つの第１の発光部４は、直列接続されたＬＥＤ６ｅ，６ｆと、これらを埋めてモジュール基板３に被着された蛍光体層９とからなる。蛍光体層９は、この蛍光体層９に埋設されたＬＥＤ６ａ〜６ｆの発光色の一部を吸収してこの発光色と異なる色の光を発光する蛍光物質(図示しない)が好ましくは均等に分散されたものであって、その蛍光物質によって第１の発光部４は例えば２８００Ｋの色温度の光を発するように調整されている。
【００２９】
第２の発光部５は、直列接続されたＬＥＤ６ｇ，６ｈと、これらを埋めてモジュール基板３に被着された蛍光体層１０とからなる。他の一つの第２の発光部５は、直列接続されたＬＥＤ６ｉ，６ｊと、これらを埋めてモジュール基板３に被着された蛍光体層１０とからなる。更に、他の一つの第２の発光部５は、直列接続されたＬＥＤ６ｋ，６ｌと、これらを埋めてモジュール基板３に被着された蛍光体層１０とからなる。蛍光体層１０は、この蛍光体層１０に埋設されたＬＥＤ６ｇ〜６ｌの発光色の一部を吸収してこの発光色と異なる色の光を発光する蛍光物質(図示しない)が好ましくは均等に分散されたものであって、その蛍光物質によって第２の発光部５は例えば８０００Ｋの色温度の光を発するように調整されている。
【００３０】
各蛍光体層９，１０は、例えば蛍光物質が分散された透光性の短冊状シートをモジュール基板３に貼付けることによって設けられていて、隣接した蛍光体層９，１０同士の側縁は互いに接している。なお、交互に隣接した第１の発光部４と第２の発光部５との間に相当する位置に仕切り部材を設けるとともに、全ての第１の発光部４と第２の発光部５が設けられる領域を仕切る囲み部材を、ＬＥＤが実装されたモジュール基板３上に設けて、仕切り部材と囲み部材とで区画された短冊状領域の夫々に、蛍光物質が混入された未硬化の透明樹脂を充填して固化することによって、各ＬＥＤ６ａ〜６ｊを埋設して蛍光体層９，１０をモジュール基板３に被着することも可能である。
【００３１】
図１に例示するように点灯装置１１は、コントローラ１２と、第１のパルス発生器１３と、第２のパルス発生器１４と、入力部２０を備えている。この点灯装置１１は、第１の発光部４と第２の発光部５とを独立に制御する。
【００３２】
そのために、方形波の繰り返しパルスを発生する第１のパルス発生器１３の出力端を、三つの第１の発光部４の各電極７ａ〜７ｆに電気的に接続して、これら三つの第１の発光部４同士が並列に接続されている。同様に、方形波の繰り返しパルスを発生する第２のパルス発生器１４の出力端を、三つの第２の発光部５の各電極８ａ〜８ｆに電気的に接続して、これら三つの第２の発光部５同士が並列に接続されている。
【００３３】
両パルス発生器１３，１４が発生する繰り返しパルスの周波数は１００Ｈｚ以上とすることが好ましい。これにより、方形波がオンされている時間とオフされている時間が、人間の目でちらつきとして知覚されないようにできる。
【００３４】
コントローラ１２は、第１のパルス発生器１３と第２のパルス発生器１４での繰り返しパルスの発生タイミング、このパルスのハルス幅及び波高値等を自動で制御するために、メモリ１５、点灯時間計測部１６、色温度制御部１７、色温度補完部１８、及び光強度補正部１９等を備えている。コントローラ１２に入力部２０が接続されている。
【００３５】
メモリ１５に、発光モジュール２の点灯状態を自動で制御する上での各種のデータが予め記憶されているとともに、点灯時間計測部１６が計測した計測データが累積して記憶される。点灯時間計測部１６は、第１の発光部４の点灯時間と、第２の発光部５の点灯時間とを別々に計測して、その計測データをメモリ１５に供給する。
【００３６】
メモリ１５に予め設定された記憶データの中には、点灯制御データと、色温度補正データ等がある。
【００３７】
点灯制御データは、一日の内で予め定めた複数の時間帯毎に、それらの時間帯に応じた相関色温度の光で照明するためのデータである。具体例としては、午前６：０１〜午前８：００の間の時間帯では、色温度６０００Ｋで偏差0.002の光で照明し、午前８；０１〜午後３：００の間の時間帯では、色温度５０００Ｋで偏差0.000の光で照明し、午後３：０１〜翌日の午前６：００の間の時間帯では、色温度３０００Ｋで偏差−0.002の光で照明をするというデータである。この色温度の切り換えは自動で毎日繰り返しなされる。
【００３８】
又、入力部２０は、発光モジュール２の光の相関色温度を任意に指定するための操作部である。この入力部２０からの入力は、前記点灯制御データに優先するが、この入力による点灯状態は、照明装置１が消灯される度にリセットされ、前記時間帯ごとの自動による色温度の切り換えに移行するようになっている。
【００３９】
色温度補正データは、各ＬＥＤ６ａ〜６ｌの点灯時間の経過について既知の輝度劣化のデータに基づいて、予め設定した点灯時間が経過する毎に、この経過時点までの第１の発光部４と第２の発光部５の点灯時間差に基づいた両発光部の輝度劣化度合いの差がなくなるようにするために予め設定されたデータであって、メモリ１５のテーブル等に格納される。
【００４０】
色温度制御部１７は、第１の発光部４と第２の発光部５の夫々に、第１のパルス発生器１３及び第２のパルス発生器１４を介して矩形波の繰り返しパルスを印加し、それにより、両パルス発生器１３，１４を好ましくは同期して発光させるものである。
【００４１】
この場合に、色温度制御部１７は、第１の発光部４に印加する繰り返しパルスのパルス幅と、第２の発光部５に印加する繰り返しパルスのパルス幅とを夫々制御する。それによって、両発光部４，５に印加する繰り返しパルス同士のパルス幅の比を変えて、発光モジュール２の光の相関色温度を変えるようになっている。このパルス幅の比の調整は、点灯制御データ及び入力部２０の入力にしたがって行われる。
【００４２】
色温度補完部１８は、製造された照明装置１の最初の点灯から予め設定した使用期間が経過する毎に、メモリ１５に記憶されている色温度補正データにしたがって両発光部４，５の夫々に印加する繰り返しパルス同士のパルス幅の比を補正する。この場合、色温度補完部１８は、予め設定した使用期間が経過する毎に、この期間経過時点で両発光部４，５の内で少なくとも点灯時間が短い発光部に印加される繰り返しパルスのパルス幅を短くすることで、両発光部４，５の夫々に印加する繰り返しパルス同士のパルス幅の比を補正するようになっている。それにより、予め設定した使用期間が経過する時点までの両発光部４，５の点灯時間差に基づいた両発光部４．５の輝度劣化度合いの差がなくなるようにできる。
【００４３】
光強度補正部１９は、予め設定した使用期間が経過する毎に、両発光部４，５の内で少なくとも点灯時間が短い発光部の輝度を、使用期間時点に達する以前と比較して使用期間経過後は高くする。このため、この照明装置１は、例えば製造後最初の点灯から予め設定した使用期間が経過するまでは、発光モジュール２の両発光部４，５はフル点灯ではなく、それよりも低いレベルで点灯されるようになっている。したがって、発光モジュール２の点灯による初期照度は、両発光部４，５をフル点灯させた場合の初期焦土に比較して下がった設定となっている。
【００４４】
前記照明装置１はその入力部２０を操作して色温度を指定できる。その指定によって、色温度（Ｔｃ）が２８００Ｋで偏差（ｄｕｖ）が±0.004の相関色温度の光と、色温度（Ｔｃ）が８０００Ｋで偏差（ｄｕｖ）が±0.004の相関色温度の光とが混じる割合を変えて、入力部２０で任意に指定した相関色温度の光で照明できる。前記割合の変更は、色温度制御部１７によって、両パルス発生器１３，１４で発生する繰り返しパルスのパルス幅を調整して、両発光部４，５に印加される繰り返しパルスのパルス幅の比を変更することにより行われる。
【００４５】
それにより、例えば第１の発光部４に繰り返しパルスを印加しないか、若しくは第１の発光部４に印加される繰り返しパルスのパルス幅を限りなく極小なパルス幅に調整した場合には、実質的に第１の発光部４は消灯し、第２の発光部５の点灯のみで照明するので、８０００Ｋの相関色温度の光で照明が行われる。
【００４６】
この逆に、第２の発光部５に繰り返しパルスを印加しないか、若しくは第２の発光部５に印加される繰り返しパルスのパルス幅を限りなく極小なパルス幅に調整した場合には、実質的に第２の発光部５は消灯し、第１の発光部４の点灯のみで照明するので、２８００Ｋの相関色温度の光で照明が行われる。
【００４７】
そして、両発光部４，５が共に繰り返しパルスによって点灯される場合には、両発光部４，５に印加される繰り返しパルス同士のパルス幅の比にしたがった相関色温度の光で照明が行われる。
【００４８】
以上の照明装置１は、２８００Ｋ〜８０００Ｋの色温度の範囲の内で、メモリ１５に予め設定された点灯制御データの範囲（３０００Ｋ〜６０００Ｋ）に限定してパルス幅比を変更でき、それ以外の指定ができない構成とすることができる。この場合には、下限の相関色温度３０００Ｋを指定しても、上限の相関色温度６０００Ｋを指定しても、両発光部４，５がいずれも発光状態にあるので、照度が大きく低下しない点で好ましい。更に、このように全ての発光部４，５を点灯させて照明をする方が、両発光部４，５のＬＥＤの発光輝度の劣化の差を小さくできる。そのため、予め設定した使用期間経過後に、両発光部４，５に印加される繰り返しパルス同士のパルス幅の比の調整幅が小さく、色温度制御部１７でのパルス幅の比の調整が容易になる点でも好ましい。
【００４９】
入力部２０からの入力によらずして、点灯装置１１の自動制御で両発光部４，５の点灯が制御される場合には、色温度制御部１７での制御により、両パルス発生器１３，１４から両発光部４，５に印加される繰り返しパルス同士のパルス幅の比が調整されて、メモリ１５に記憶されている点灯制御データにしたがって、午前６：０１〜午前８：００の間の時間帯は色温度６０００Ｋで偏差0.002の光で照明が行われ、午前８；０１〜午後３：００の間の時間帯は色温度５０００Ｋで偏差0.000の光で照明が行われ、午後３：０１〜翌日の午前６：００の間の時間帯は色温度３０００Ｋで偏差−0.002の光で照明が行われる。すなわち、こうして照明光の色を一日の内で予め定めた時間帯毎に変えることによって、人間の生活リズムに合わせた照明環境とすることができる。
【００５０】
こうして相関色温度を時間帯毎に変える場合、方形波の電流又は電圧の値を変える等によって、相関色温度の異なる部分の出力を時間帯によって変えることもできる。このように出力変更を伴うことでさらに好ましい照明環境を作ることが可能である。又、相関色温度を時間帯毎に変えるのに、照明装置１に標準時の電波を受信する受信部を備えた構成とする場合には、その受信に基づいて時間帯を正確に割り出して、以上の人間の生活リズムに合わせた照明環境を作ることが可能である。
【００５１】
既述の照明装置１の照明では、発光モジュール２の互いに異なる色温度の光を発する二系統の発光部４，５毎に印加される繰り返しパルス同士のパルス幅の比を、点灯装置１１の色温度制御部１７で変えることによって、発光部４，５が発する光が混ざる割合を変えて、発光モジュール２の光の相関色温度を変えて照明できる。この照明において、二系統の発光部４，５が有した各ＬＥＤ６ａ〜６ｌの発光色は同一であって、発光部４，５に用いられた互いに異なる蛍光体層９，１０での波長変換により、両発光部４，５互いに異なる色温度の光を発する。そのため、この照明装置１では、発光モジュール２の光の相関色温度を変えるのに互いに異なる光を発する二種類のＬＥＤを用いることなく、発光モジュール２に使用する各ＬＥＤ６ａ〜６ｌの種類を一種類とすることができる。即ち、この照明装置１は使用するＬＥＤの種類が一種類でありながら発光モジュール２の光の相関色温度を可変できる。
【００５２】
既述の明装置１は、発光モジュール２の発光部４，５が発する光が混ざる割合を変えるのに、両発光部４，５に印加される繰り返しパルス同士のパルス幅の比、言い換えれば、繰り返しパルスの１周期内での点灯時間を夫々変更している。このため、パルス幅の差に基づいて両発光部４，５に印加される繰り返しパルスの印加時間、つまり、両発光部４，５の点灯時間が異なることは避けられず、点灯時間が長い方の発光部が有したＬＥＤの輝度は、点灯時間が短い方の発光部が有したＬＥＤの輝度も低下する。以上の輝度低下の差が長い年月の間に累積された場合には、両発光部４，５が発した光が混ざる割合は同じでも、人為的又は自動により設定された相関色温度の光を維持できなくなる。
【００５３】
しかし、前記点灯装置１１は、予め設定した使用期間（例えば１年）が経過する毎に、この使用期間経過時点までの両発光部４，５の点灯時間差に基づいた輝度劣化度合いの差がなくなるようにする色温度補完部１８を備えている。この色温度補完部１８は、メモリ１５に予め設定して置いた色温度補正データにしたがって両発光部４，５に印加する繰り返しパルス同士のパルス幅の比を補正する。
【００５４】
しかも、この場合、色温度補完部１８は、予め設定した使用期間経過する毎に両発光部４，５の内で少なくとも点灯時間が短い発光部に印加される繰り返しパルスのパルス幅を短くすることによって、両発光部４，５に印加する繰り返しパルス同士のパルス幅の比を補正する。
【００５５】
以上のように予め設定した使用期間毎に、両発光部４，５の輝度劣化度合いの差がなくなるように自動的に調整して、相関色温度を適正に補正したので、選択した相関色温度を長期の使用期間にわたって維持することが可能である。
【００５６】
更に、点灯装置１１は光強度補正部１９を備えている。この光強度補正部１９は、予め設定した使用期間が経過する毎に、両発光部４，５の内で少なくとも点灯時間が短い発光部の輝度を、前記使用期間時点に達する以前と比較して使用期間経過後は高くする。そのため、前記のように輝度劣化が低い方の発光部に印加する繰り返しパルスのパルス幅を短くすることに伴い、この発光部の輝度が低下しても、それを光強度補正部１９によって、例えば繰り返しパルスの波高値を上げることで補正して輝度を向上できる。したがって、色温度補完部１８による相関色温度の維持に伴う輝度の低下を抑制できる。
【００５７】
なお、以上のように初期照度を予め落として置いて予め設定した使用期間が経過する毎に、繰り返しパルスの波高値を上げることで、輝度を補正することに代えて、初期照度を予め落とすのに、繰り返しパルスの１周期内での点灯時間を短くして置いて、予め設定した使用期間が経過する毎に、光強度補正部１９により繰り返しパルスの１周期内での点灯時間を長くすることで、輝度の補正をすることもできる。
【図面の簡単な説明】
【００５８】
【図１】本発明の一実施形態に係る照明装置を説明する図。
【図２】図１中Ｆ２−Ｆ２線に沿って示す発光モジュールの断面図。
【符号の説明】
【００５９】
１…照明装置、２…発光モジュール、３…モジュール基板、４…第１の発光部、５…第２の発光部、６ａ〜６ｌ…ＬＥＤ（半導体発光素子）、９，１０…蛍光体層、１１…点灯装置、１２…コントローラ、１３…第１のパルス発生器、１４…第２のパルス発生器、１５…メモリ、１６…点灯時間計測部、１７…色温度制御部、１８…色温度補完部、１９…光強度補正部、２０…入力部
【図１】
2008218504.tif 000003
【図２】
2008218504.tif 000004